(57)【特許請求の範囲】
【請求項１】
粒子線を照射する照射ヘッド、被照射体が載置される治療台および被照射体のみに粒子線が照射されるように照射野を形成する多葉コリメータを備えた粒子線治療装置において、上記多葉コリメータは、位置検出用の突起を有する複数のコリメータリーフを並列状態で集合し、上記照射野中心の両側部に対向配置された一対のコリメータリーフ群と、上記複数のコリメータリーフを一葉毎に上記照射野中心に対して接近方向または離反方向に移動させる複数の駆動手段と、上記各コリメータリーフの位置を検出する複数の位置検出器と、上記複数のコリメータリーフの離反方向の位置規制を行う一対の停止部材と、上記一対の停止部材を任意の位置に設定する停止部材位置調整手段と、上記複数のコリメータリーフを照射野中心側に移動させ、上記コリメータリーフの不整列を検出する一対の不整列検出部材と、上記位置検出器が検出した位置を処理する位置信号処理回路と、上記各コリメータリーフの基準位置を記憶するメモリを有し、上記多葉コリメータを制御する多葉コリメータ制御器とを備え、
上記照射野を形成するとき、上記複数のコリメータリーフを上記照射野の離反方向の上記一対の停止部材に当接させた位置に移動し、上記複数のコリメータリーフのそれぞれの位置を上記位置検出器により検出し、この検出位置を第１の基準位置として上記多葉コリメータ制御器のメモリに記憶し、続いて、上記各コリメータリーフを上記照射野中心への接近方向の上記不整列検出部材に上記コリメータリーフの突起が当接しない所定の位置に移動する移動動作を行い、移動途中において上記コリメータリーフの上記不整列検出部材への当接の有無によって上記複数のコリメータリーフの不整列の有無を検出することを特徴とする粒子線治療装置。
【請求項２】
上記各コリメータリーフを上記照射野中心に対して接近方向の上記不整列検出部材に接近した所定の位置への移動途中で上記コリメータリーフの停止がなかったとき、上記コリメータリーフの不整列状態なしとして、上記複数のコリメータリーフのそれぞれの位置を上記位置検出器により検出し、該検出位置を第２の基準位置として上記多葉コリメータ制御器のメモリに記憶することを特徴とする請求項１記載の粒子線治療装置。
【請求項３】
粒子線を照射する照射ヘッド、被照射体が載置される治療台および被照射体のみに粒子線が照射されるように照射野を形成する多葉コリメータを備えた粒子線治療装置において、上記多葉コリメータは、位置検出用の突起を有する複数のコリメータリーフを並列状態で集合し、上記照射野中心の両側部に対向配置された一対のコリメータリーフ群と、上記複数のコリメータリーフを一葉毎に上記照射野中心に対して接近方向または離反方向に移動させる複数の駆動手段と、上記各コリメータリーフの位置を検出する複数の位置検出器と、上記複数のコリメータリーフの離反方向の位置規制を行う一対の停止部材と、上記一対の停止部材を任意の位置に設定する停止部材位置調整手段と、上記位置検出器が検出した位置を処理する位置信号処理回路と、上記各コリメータリーフの基準位置を記憶するメモリを有し、上記多葉コリメータを制御する多葉コリメータ制御器とを備え、
上記照射野を形成するとき、上記複数のコリメータリーフを上記照射野の離反方向の上記一対の停止部材に当接させた位置に移動し、上記複数のコリメータリーフのそれぞれの位置を上記位置検出器により検出し、この検出位置を第１の基準位置として上記多葉コリメータ制御器のメモリに記憶し、続いて、上記各コリメータリーフを上記照射野中心への接近方向の対向する上記コリメータリーフの先端部が当接しない近接した所定の位置に移動する移動動作を行い、移動途中において上記複数のコリメータリーフのそれぞれの対向する先端部への当接の有無によって、上記複数のコリメータリーフの不整列の有無を検出することを特徴とする粒子線治療装置。
【請求項４】
上記各コリメータリーフを上記照射野中心に対して接近方向の対向するコリメータリーフの先端部に接近した所定の位置まで移動し、移動途中で停止しなかったとき、上記コリメータリーフの不整列状態なしとして、上記各コリメータリーフの位置を上記位置検出器により検出し、該検出位置を第２の基準位置として上記多葉コリメータ制御器のメモリに記憶することを特徴とする請求項３記載の粒子線治療装置。
【請求項５】
粒子線を照射する照射ヘッド、被照射体が載置される治療台および被照射体のみに粒子線が照射されるように照射野を形成する多葉コリメータを備えた粒子線治療装置において、上記多葉コリメータは、位置検出用の突起を有する複数のコリメータリーフを並列状態で集合し、上記照射野中心の両側部に対向配置された一対のコリメータリーフ群と、上記複数のコリメータリーフを一葉毎に上記照射野中心に対して接近方向または離反方向に移動させる複数の駆動手段と、上記各コリメータリーフの位置を検出する複数の位置検出器と、上記複数のコリメータリーフの離反方向の位置規制を行う一対の停止部材と、上記コリメータリーフの移動範囲を走査し、上記コリメータリーフの不整列の有無を調査する一対の不整列検出機構と、上記位置検出器が検出した位置を処理する位置信号処理回路と、上記各コリメータリーフの基準位置を記憶するメモリを有し、上記多葉コリメータを制御する多葉コリメータ制御器とを備え、
上記照射野を形成するとき、上記複数のコリメータリーフを上記照射野の離反方向の上記一対の停止部材に当接させた位置に移動し、上記複数のコリメータリーフのそれぞれの位置を上記位置検出器により検出し、この検出位置を第１の基準位置として上記多葉コリメータ制御器のメモリに記憶し、続いて、上記一対の不整列検出機構を上記コリメータリーフの上記突起の移動範囲に移動させて上記コリメータリーフの不整列状態の有無を検出することを特徴とする粒子線治療装置。
【請求項６】
上記コリメータリーフの不整列がないときに、上記第１の基準位置を照射野形成の基準位置として上記各コリメータリーフの照射野形成動作を行うことを特徴とする請求項１、請求項３、請求項５のいずれかに記載の粒子線治療装置。
【請求項７】
上記コリメータリーフの不整列がないときに、上記第２の基準位置を照射野形成の基準位置として上記各コリメータリーフの照射野形成動作を行うことを特徴とする請求項２または請求項４記載の粒子線治療装置。
【請求項８】
上記複数のコリメータリーフの照射野中心に対して離反方向の位置規制を行う一対の停止部材を任意の位置に設定する停止部材位置調整手段を備えたことを特徴とする請求項５に記載の粒子線治療装置。
【発明の詳細な説明】
【技術分野】
【０００１】
この発明は、粒子線加速器で加速された粒子線を人体の病変部に照射することにより、病変部を治療する粒子線治療装置に関するものである。
【背景技術】
【０００２】
粒子線治療装置は、病変部に対し治療効果を得るために適正な粒子線量が照射できるとともに、病変部以外の正常部には照射障害が発生しないように、許容粒子線量以下になるように集中照射することが必要である。
粒子線治療装置は、粒子線が被照射体のみに照射されるように、粒子線の照射ヘッドと被照射体の間に、被照射体に対応して適正な照射野を形成する多葉コリメータが配置された構成となっている。
従来の粒子線治療装置としては、例えば、特許文献１に放射線治療装置として開示されている。特許文献１の放射線治療装置は、特許文献１の図３〜図６に示されているように、所定の大きさの照射野を形成する多分割絞り機構が示されている。
【０００３】
特許文献１の図３〜図６に示された多分割絞り機構は、照射野の両側それぞれに、複数の多分割絞りが並列状態の微少な隙間で配置され、多分割絞り毎に照射野に対して接近方向または離反方向に駆動する駆動手段としてステッピングモータが使用され、多分割絞りの離反方向の両側には、移動範囲を規制するメカストッパが配置され、多分割絞りの位置の検出手段には、エンコーダとポテンショメータが使用されている。
制御装置としては、位置検出器の位置信号を処理する絞り位置検出器、設定する位置と各多分割絞りの位置信号とから各多分割絞りの位置を制御する多分割絞り制御器および多分割絞り機構の全体を制御する放射線治療装置コンソールを備えている。
【０００４】
多分割絞りの原点位置設定処理は、多分割絞りをメカストッパに当たる位置またはメカストッパから一定距離の位置を基準位置とし、多分割絞りを基準位置まで移動したときのステッピングモータのパルス数を計数し、予め設定した原点復帰の基準点に対応した基準点信号と、ステッピングモータの停止した多分割絞りの位置の位置信号とを比較し両者が一致する点を原点復帰の基準点としている。
【０００５】
【特許文献１】特開２００３−７９５７４号公報
【発明の開示】
【発明が解決しようとする課題】
【０００６】
従来の放射線治療装置は、上記のように構成され、多分割絞りの位置は、予め原点復帰の基準点に対応した基準点信号と、多分割絞りを移動させてマカストッパに当接して停止した位置までのステッピングモータのパルス数を計数して算出した位置信号とを比較し、一致する点を原点復帰の基準点としている。しかし、この方法で原点復帰した場合、ステッピングモータに脱調などが起こると、多分割絞りの位置を示すパルス数は、多分割絞りの移動距離に対応しなくなり、所要の照射野が形成できなくなる問題点があった。
また、多分割絞りがメカストッパに当接して停止した位置は、移動させるステッピングモータのパルス数から求められた位置に一致しているとは限らないので、全ての多分割絞りが確実に原点復帰できることが保証できないという問題点もあった。
【０００７】
この発明は、上記問題点を解消するためになされたものであり、多葉コリメータのコリメータリーフの照射野形成の基準位置が正確に検出され、高精度で容易に照射野が形成できる粒子線治療装置を構成することを目的とする。
【課題を解決するための手段】
【０００８】
この発明に係る粒子線治療装置の多葉コリメータは、粒子線を照射する照射ヘッド、被照射体が載置される治療台および被照射体のみに粒子線が照射されるように照射野を形成する多葉コリメータを備えた粒子線治療装置において、上記多葉コリメータは、位置検出用の突起を有する複数のコリメータリーフを並列状態で集合し、上記照射野中心の両側部に対向配置された一対のコリメータリーフ群と、上記複数のコリメータリーフを一葉毎に上記照射野中心に対して接近方向または離反方向に移動させる複数の駆動手段と、上記各コリメータリーフの位置を検出する複数の位置検出器と、上記複数のコリメータリーフの離反方向の位置規制を行う一対の停止部材と、上記一対の停止部材を任意の位置に設定する停止部材位置調整手段と、上記複数のコリメータリーフを照射野中心側に移動させ、上記コリメータリーフの不整列を検出する一対の不整列検出部材と、上記位置検出器が検出した位置を処理する位置信号処理回路と、上記各コリメータリーフの基準位置を記憶するメモリを有し、上記多葉コリメータを制御する多葉コリメータ制御器とを備え、
上記照射野を形成するとき、上記複数のコリメータリーフを上記照射野の離反方向の上記一対の停止部材に当接させた位置に移動し、上記複数のコリメータリーフのそれぞれの位置を上記位置検出器により検出し、この検出位置を第１の基準位置として上記多葉コリメータ制御器のメモリに記憶し、続いて、上記各コリメータリーフを上記照射野中心への接近方向の上記不整列検出部材に上記コリメータリーフの突起が当接しない所定の位置に移動する移動動作を行い、移動途中において上記コリメータリーフの上記不整列検出部材への当接の有無によって上記複数のコリメータリーフの不整列の有無を検出することを特徴とするものである。
【発明の効果】
【０００９】
この発明の係る粒子線治療装置は、多葉コリメータの全てのコリメータリーフを照射野中心に対して離反方向の所定に位置に移動して照射野形成の基準となる第１の基準位置を設定し、各コリメータリーフを照射野中心への接近方向の不整列検出部材にコリメータリーフの突起が当接しない所定の位置に移動する移動動作を行ってコリメータリーフの不整列検出部材への当接の有無によって複数のコリメータリーフの不整列の有無を検出するので、不整列のコリメータリーフが確実に検出される。
【発明を実施するための最良の形態】
【００１０】
実施の形態１．
図１は実施の形態１の粒子線治療装置の多葉コリメータ部分の構成図であり、図１（ａ）が平面図、図１（ｂ）が正面図である。
図１（ａ）は多葉コリメータ１０が照射野Ｓを形成した状態を示している。
多葉コリメータ１０は、位置検出用突起１１Ｓを有する複数のコリメータリーフ１１ａ〜１１ｎおよび位置検出用突起１２Ｓを有する複数のコリメータリーフ１２ａ〜１２ｎをそれぞれ並列状態で集合し、上記照射野Ｓの中心の両側に対向配置され、照射野Ｓを形成する一対のコリメータリーフ群１１、１２と、一対のコリメータリーフ群１１、１２の移動をガイドする一対の側板１３、１４と、複数のコリメータリーフ１１ａ〜１１ｎ、１２ａ〜１２ｎの照射野Ｓの中心に対して離反方向の位置規制を行う一対の停止部材１５、１６と、一対のコリメータリーフ群１１、１２を構成する複数のコリメータリーフ１１ａ〜１１ｎ、１２ａ〜１２ｎの一葉毎に、照射野Ｓの中心に対して接近方向または離反方向に移動させる複数の駆動手段１７、１８と、各コリメータリーフ１１ａ〜１１ｎ、１２ａ〜１２ｎの位置を検出する複数の位置検出器１９、２０と、複数のコリメータリーフ１１ａ〜１１ｎ、１２ａ〜１２ｎを照射野Ｓの中心側に移動させ、コリメータリーフ１１ａ〜１１ｎ、１２ａ〜１２ｎの不整列を検出する一対の不整列検出部材２１、２２と、位置検出器１９、２０が検出した位置を処理する位置信号処理回路３、４と、各コリメータリーフ１１ａ〜１１ｎ、１２ａ〜１２ｎを駆動制御するコリメータリーフ位置制御器２と、各コリメータリーフ１１ａ〜１１ｎ、１２ａ〜１２ｎの基準位置を記憶するメモリを有し、多葉コリメータ１０を制御する多葉コリメータ制御器１とを備えている。
【００１１】
上記コリメータリーフを駆動する駆動手段１７、１８は、コリメータリーフ１１ａ〜１１ｎ、１２ａ〜１２ｎの一葉毎に設けられ、サーボモータまたはステッピングモータが使用される。駆動手段１７ａ〜１７ｎ、位置検出器１９ａ〜１９ｎの符号ａ〜ｎは、コリメータリーフ１１ａ〜１１ｎの符号ａ〜ｎに対応し、駆動手段１８ａ〜１８ｎ、位置検出器２０ａ〜２０ｎの符号ａ〜ｎは、コリメータリーフ１２ａ〜１２ｎの符号ａ〜ｎに対応した符号である。
また、駆動手段１７、１８は、コリメータリーフ１１ａ〜１１ｎ、１２ａ〜１２ｎの移動中の駆動手段１７、１８が過負荷になり電流が大きくなったことによる過負荷信号で遮断され、停止するように構成されている。
【００１２】
上記一対の不整列検出部材２１、２２は、各コリメータリーフ１１ａ〜１１ｎ、１２ａ〜１２ｎの互いに対向する先端部が当接しない所定の位置になったときに、不整列検出部材２１は、コリメータリーフ１１ａ〜１１ｎの突起１１Ｓに当接しない近接する位置に配置し、不整列検出部材２２は、コリメータリーフ１２ａ〜１２ｎの突起１２Ｓに当接しない近接する位置に配置している。
不整列検出部材２１、２２は、設定する照射野Ｓの大きさによっては、コリメータリーフ１１ａ〜１１ｎ、１２ａ〜１２ｎの移動範囲が少なくなる場合を考慮して、任意の位置に設定できるように不整列検出部材移動手段２３、２４を備えている。
【００１３】
次に、図１の構成の多葉コリメータ１０の動作について説明する。
図２は多葉コリメータ１０のコリメータリーフの移動動作時の状態を示す説明図である。コリメータリーフ群１１はコリメータリーフ１１ａ〜１１ｎを集合したものであり、コリメータリーフ群１２はコリメータリーフ１２ａ〜１２ｎを集合したものであり、個々のコリメータルーフの符号の図面への表示は省略している。
【００１４】
各コリメータリーフ１１ａ〜１１ｎ、１２ａ〜１２ｎの始動時の状態は、前回運転時に近い状態の図２（ａ）の状態で停止している。
始動時に図２（ａ）状態からコリメータリーフの『離反動作』と『接近動作』を行う。
『離反動作』はコリメータリーフ１１ａ〜１１ｎの突起１１Ｓを停止部材１５に当接させ、コリメータリーフ１２ａ〜１２ｎの突起を停止部材１６に当接させた位置に移動する動作であり、
『接近動作』はコリメータリーフ１１ａ〜１１ｎの離反動作完了の状態からＸａの距離だけ移動し、突起１１Ｓを不整列検出部材２１に当接させない所定の位置、コリメータリーフ１２ａ〜１２ｎの突起１２Ｓを不整列検出部材２２に当接させない所定の位置にそれぞれ移動する移動動作である。
【００１５】
この構成における不整列状態検出動作は、
（１）各コリメータリーフ１１ａ〜１１ｎ、１２ａ〜１２ｎの位置が前回運転時の図２(ａ)の状態から、コリメータリーフ１１ａ〜１１ｎ、１２ａ〜１２ｎを照射野Ｓの中心に対して離反方向に移動させる『離反動作』を行い、停止部材１５および停止部材１６に当接させる位置に移動する。（コリメータリーフが正常動作すれば図２(ｂ)の状態になる。)
（２）続いて、各コリメータリーフ１１ａ〜１１ｎ、１２ａ〜１２ｎを接近方向に移動させ、不整列検出部材２１および不整列検出部材２２に当接しない近接した所定の位置に移動させる。
・結果Ａ：（１）の動作指令で図２(ｂ)、(２)の動作指令で図２(ｃ)の状態の場合
「判定」：コリメータリーフの移動動作は正常とし、照射野Ｓを設定する制御を行う。
・結果Ｂ：（１）の動作指令で図２(ｄ)、(２)の動作指令で図２(ｅ)の状態の場合
「判定」：コリメータリーフの１１ｂが正常に移動しないで不整列状態が発生したと判定し、動作異常を表示し、多葉コリメータリーフ１０の運転を停止する。
・結果Ｃ：（１）の動作指令で図２(ｄ)、(２)の動作指令で図２(ｆ)の状態の場合
「判定」：コリメータリーフの１１ｂが離反動作で動作異常であり、接近動作で他のコリメータリーフと同様に移動するが、移動途中のＸｂの位置で他のコリメータリーフよりも早く不整列検出部材２１に当接して停止した。この場合は動作異常の確認のために、上記(１)(２）の動作を繰り返す。その結果、図２（ｇ）の状態になった場合は、コリメータリーフは正常動作に回復と判定し、照射野Ｓを設定する制御を行う。図２（ｇ）の状態にならない場合は、不整列状態が発生したと判定し、動作異常を表示し、多葉コリメータリーフ１０の運転を停止する。
【００１６】
上記『離反動作』『接近動作』を行った結果、『接近動作』後のコリメータリーフの位置が図２（ｃ）または図２（ｇ）の状態の時には正常に動作していると判定し、『離反動作』後の各コリメータリーフ１１ａ〜１１ｎ、１２ａ〜１２ｎの図２（ｂ）に示す位置を照射野Ｓ形成の「第１の基準位置」として記憶し、コリメータリーフの位置が図２（ｃ）または図２（ｇ）に示す各コリメータリーフの位置を「第２の基準位置」として多葉コリメータ制御器１のメモリに記憶する。
コリメータリーフ１１ａ〜１１ｎ、１２ａ〜１２ｎの移動動作が正常または正常状態に回復したと判定し、上記の第１の基準位置、第２の基準位置のいずれかを照射野Ｓ形成の基準位置として照射野Ｓを形成する。
【００１７】
上記のように、多葉コリメータ１０の照射野Ｓの形成を、粒子線治療装置の運転開始のつど、コリメータリーフ１１ａ〜１１ｎ、１２ａ〜１２ｎの『離反動作』『接近動作』を行い、コリメータリーフの動作状態と、照射野Ｓ形成の基準位置を設定することにより、不整列のコリメータリーフがある場合は、多葉コリメータ１０の運転が停止され、コリメータリーフの不整列状態がなく正常な場合は、運転開始時に照射野Ｓ設定の基準位置を設定するので、高精度の照射野Ｓが短時間で設定できる粒子線治療装置が得られる。
【００１８】
実施の形態２．
実施の形態１では、停止部材と不整列検出部材とにより各コリメータリーフの不整列状態を検出する構成であったが、実施の形態２は、不整列検出部材を設けないでコリメータリーフの不整列状態を検出する構成としたものである。
図３は実施の形態２の粒子線治療装置の多葉コリメータ部分の構成図であり、図３（ａ）が平面図、図３（ｂ）が正面図である。
【００１９】
図３（ａ）は多葉コリメータ３０が照射野Ｓを形成した状態を示している。
多葉コリメータ３０は、複数のコリメータリーフ１１ａ〜１１ｎおよび複数のコリメータリーフ１２ａ〜１２ｎを並列状態で集合し、上記照射野Ｓの中心の両側に対向配置され、照射野Ｓを形成する一対のコリメータリーフ群１１、１２と、一対のコリメータリーフ群１１、１２の移動をガイドする一対の側板１３、１４と、複数のコリメータリーフ１１ａ〜１１ｎ、１２ａ〜１２ｎの照射野Ｓの中心に対して離反方向の位置規制を行う一対の停止部材１５、１６と、一対のコリメータリーフ群１１、１２の構成する複数のコリメータリーフ１１ａ〜１１ｎ、１２１ａ〜１２ｎの一葉毎に、照射野Ｓの中心に対して接近方向または離反方向に移動させる複数の駆動手段１７、１８と、各コリメータリーフ１１ａ〜１１ｎ、１２ａ〜１２ｎの位置を検出する複数の位置検出器１９、２０と、位置検出器１９、２０が検出した位置を処理する位置信号処理回路３、４と、各コリメータリーフ１１ａ〜１１ｎ、１２ａ〜１２ｎを駆動制御するコリメータリーフ位置制御器２と、各コリメータリーフ１１ａ〜１１ｎ、１２ａ〜１２ｎの基準位置を記憶するメモリを有し、多葉コリメータ３０を制御する多葉コリメータ制御器１とを備えた構成である。
【００２０】
この実施の形態２の構成は、実施の形態１とは不整列検出部材を設けない点が異なり、その他の構成は実施の形態１の図１と同一であり、各部の詳細説明は省略する。
実施の形態２では、コリメータリーフの不整列状態の検出は、一対のコリメータリーフ群の互いに対向するコリメータリーフの先端部の位置によって不整列状態を検出する。
【００２１】
次に、図３の構成の多葉コリメータ３０の動作について説明する。
図４は多葉コリメータ３０のコリメータリーフの移動動作時の状態を示す説明図である。コリメータリーフ群１１はコリメータリーフ１１ａ〜１１ｎを集合したものであり、コリメータリーフ群１２はコリメータリーフ１２ａ〜１２ｎを集合したものであり、図２の場合と同様に図面への表示は省略している。
以下の説明では、コリメータリーフの照射野側を「コリメータリーフ先端部」と呼称し、照射野Ｓの反対側を「コリメータリーフ後端部」と呼称して説明する。
【００２２】
各コリメータリーフ１１ａ〜１１ｎ、１２ａ〜１２ｎの始動時の状態は、前回運転時に近い状態の図４（ａ）の状態で停止している。
始動時に図４（ａ）状態からコリメータリーフの『離反動作』と『接近動作』を行う。
・『離反動作』：コリメータリーフ１１ａ〜１１ｎの後端部を停止部材１５に当接させ、コリメータリーフ１２ａ〜１２ｎの後端部を停止部材１６に当接させた位置に移動する動作である。
・『接近動作』：コリメータリーフ１１ａ〜１１ｎの離反動作の状態からＸａの距離移動し、コリメータリーフ１１ａ〜１１ｎおよびコリメータリーフ１２ａ〜１２ｎの互いに対向する先端部に当接させない所定の位置に移動する動作である。
【００２３】
この構成における不整列状態検出動作は、
（１）各コリメータリーフ１１ａ〜１１ｎ、１２ａ〜１２ｎの位置が前回運転時の図４(ａ)の状態から、コリメータリーフ１１ａ〜１１ｎ、１２ａ〜１２ｎを離反方向に移動させる『離反動作』を行い、停止部材１５および停止部材１６に当接させる位置に移動する。（コリメータリーフが正常動作すれば図４(ｂ)の状態になる。)
（２）続いて、各コリメータリーフ１１ａ〜１１ｎ、１２ａ〜１２ｎを接近方向に移動させ、対向するコリメータリーフの先端部に当接しない近接した所定の位置に移動させる。
・結果Ａ：（１）の動作指令で図４(ｂ)、(２)の動作指令で図４(ｃ)の状態の場合
「判定」：コリメータリーフの移動動作は正常とし、照射野Ｓを設定する制御を行う。
・結果Ｂ：（１）の動作指令で図４(ｄ)、(２)の動作指令で図４(ｅ)の状態の場合
「判定」：コリメータリーフの１１ｂが正常に移動しないで不整列状態が発生したと判定し、動作異常を表示し、多葉コリメータリーフ３０の運転を停止する。
・結果Ｃ：（１）の動作指令で図４(ｄ)、(２)の動作指令で図４(ｆ)の状態の場合
「判定」：コリメータリーフの１１ｂが離反動作で動作異常であり、接近動作で他のコリメータリーフと同様に移動するが、移動途中のＸｂの位置で他のコリメータリーフよりも早く対向するコリメータリーフの先端部に当接して停止した。この場合は動作異常の確認のために、上記(１)(２）の動作を繰り返す。その結果、図４（ｇ）の状態になった場合は、コリメータリーフは正常動作に回復と判定し、照射野Ｓを設定する制御を行う。図４（ｇ）の状態にならない場合は、不整列状態が発生したと判定し、動作異常を表示し、多葉コリメータリーフ３０の運転を停止する。
【００２４】
上記『離反動作』『接近動作』を行った結果、『離反動作』後のコリメータリーフの位置が図４（ｂ）の位置で、『接近動作』後のコリメータリーフの位置が図４（ｃ）または図４（ｇ）の状態の時には正常に動作していると判定し、『離反動作』後の各コリメータリーフ１１ａ〜１１ｎ、１２ａ〜１２ｎの図４（ｂ）に示す位置を照射野Ｓ形成の「第１の基準位置」として記憶し、『接近動作』後の図４（ｃ）または図４（ｇ）に示す各コリメータリーフの位置を「第２の基準位置」として多葉コリメータ制御器１のメモリに記憶する。
コリメータリーフ１１ａ〜１１ｎ、１２ａ〜１２ｎの移動動作が正常または正常状態に回復したと判定した場合は、上記の第１の基準位置、第２の基準位置のいずれかを照射野Ｓ形成の基準位置として照射野Ｓを形成動作を行う。
【００２５】
上記のように、多葉コリメータ３０の照射野Ｓの形成を、粒子線治療装置の運転開始のつど、コリメータリーフ１１ａ〜１１ｎ、１２ａ〜１２ｎの『離反動作』『接近動作』を行い、コリメータリーフの動作状態を確認し、コリメータリーフに不整列がある場合は多葉コリメータ３０の運転を停止し、コリメータリーフの不整列状態がなく正常な場合は、照射野Ｓ設定の基準位置をメモリに記憶された第１の基準位置または第２の基準位置として照射野を設定するので、高精度の照射野Ｓが確実に設定できる粒子線治療装置が得られる。
【００２６】
実施の形態３．
実施の形態１では、停止部材と不整列検出部材とにより各コリメータリーフの不整列状態を検出する構成であり、実施の形態２では、不整列検出部材を設けないでコリメータリーフの不整列状態を検出し、特定する構成としたが、この実施の形態３は、不整列検出部材を移動可能に構成し、コリメータリーフの移動範囲を移動してコリメータリーフの不整列を検出する構成である。
図５は実施の形態３の多葉コリメータの構成を示す正面図である。
図５の多葉コリメータ５０は、実施の形態１の図１に示す多葉コリメータ１０の不整列検出部材をコリメータリーフ１１ａ〜１１ｎの突起１１Ｓ、１２Ｓの移動範囲を移動できる不整列検出機構４０としたものである。
図５のコリメータリーフ群１１、１２、コリメータリーフ群１１、１２の移動をガイドする一対の側板１３、１４、コリメータリーフ１１ａ〜１１ｎ、１２ａ〜１２ｎの照射野Ｓ中心に対して離反方向の位置規制を行う一対の停止部材１５、１６、複数のコリメータリーフ１１ａ〜１１ｎ、１２ａ〜１２ｎの一葉毎に設けられた駆動手段１７、１８および位置検出器１９、２０、位置検出器１９、２０が検出した位置を処理する位置信号処理回路３、４、コリメータリーフ１１ａ〜１１ｎ、１２ａ〜１２ｎを駆動制御するコリメータリーフ位置制御器２、各コリメータリーフ１１ａ〜１１ｎ、１２ａ〜１２ｎの基準位置を記憶するメモリを有し、多葉コリメータを制御する多葉コリメータ制御器１は図１と同一である。
【００２７】
不整列検出機構４０は、停止部材１５および停止部材１６のそれぞれの上側部に一対の軸受４７を配置し、両端部が軸受４７に回転自在に支持され、中間位置の一方は右ねじ、他方は左ねじが加工された移動ねじ４６に、照射野Ｓの中心に対して接近方向および離反方向に対称状態で移動させる移動ねじ受４３、４４を螺合し、移動ねじ受４３、４４にそれぞれコリメータリーフ１１ａ〜１１ｎ、１２ａ〜１２ｎの不整列状態を検出する不整列検出部材４１および不整列検出部材４２を装着し、移動ねじ４６の一端に駆動モータ４５を連結した構成である。
このように構成した不整列検出機構４０は、駆動モータ４５を正回転、逆回転することにより、不整列検出部材４１、４２が、接近方向または離反方向に移動する。
【００２８】
図６は実施の形態２の粒子線治療装置の多葉コリメータ部分の多葉コリメータ５０のコリメータリーフの移動動作の状態を示す説明図である。
図６の多葉コリメータ５０の動作について説明する。
以下の説明では、コリメータリーフの照射野側を「コリメータリーフ先端部」と呼称し、照射野Ｓの反対側を「コリメータリーフ後端部」と呼称して説明する。
この構成における不整列状態検出動作は、
（１）各コリメータリーフ１１ａ〜１１ｎ、１２ａ〜１２ｎおよび不整列検出部材４１および４２の位置が前回運転時の図６(ａ)の状態から、コリメータリーフ１１ａ〜１１ｎ、１２ａ〜１２ｎを照射野Ｓの中心に対して離反方向に移動させ、停止部材１５および停止部材１６に当接させる動作を指令する。（コリメータリーフが正常動作すれば図６(ａ)の状態になる。）
（２）不整列検出部材４１および不整列検出部材４２照射野Ｓの中心に対して離反方向に移動させ、コリメータリーフ１１ａ〜１１ｎ、１２ａ〜１２ｎの突起１１Ｓおよび１２Ｓに当接させる動作を指令する。
・結果Ａ：（１）の動作指令で図６(ｂ)、(２)の動作指令で図６(ｃ)の状態の場合
「判定」：コリメータリーフの移動動作は正常・・照射野Ｓを設定する制御を行う。
・結果Ｂ：（１）の動作指令で図６(ｄ)、(２)の動作指令で図６(ｅ)の状態の場合
「判定」：コリメータリーフの１１ｂが正常に移動しないで不整列状態の発生と判定し、動作異常を表示し、多葉コリメータリーフ５０の運転を停止する。
【００２９】
このように不整列検出部材を移動可能に構成すると、コリメータリーフの移動動作が離反方向への移動のみでよくなり、照射野Ｓの設定時間が短縮できる。
【００３０】
実施の形態４．
実施の形態１〜実施の形態３では、コリメータリーフの移動範囲を照射野Ｓの最大の場合を想定して、停止部材の位置を決めていたが、照射野Ｓが小さい場合にはコリメータリーフの移動範囲が必要以上に大きく、照射野Ｓの設定時間が長くなる欠点がある。
実施の形態４は、停止部材を可動式として照射野Ｓが小さくてよい場合には、停止部材を照射野Ｓに近づけた位置で照射野Ｓが設定できるように構成したものである。
【００３１】
図７は実施の形態４の多葉コリメータの構成図であり、図７（ａ）平面図、図７（ｂ）は不整列検出手段の位置決め状態の説明図であり、図７（ａ）側面図で方向から見た図である。図７の多葉コリメータ７０は、実施の形態１の図１に示す多葉コリメータの構成の停止部材を移動可能に構成したものである。
図７において、コリメータリーフ群１１、１２、コリメータリーフ群１１、１２の移動をガイドする一対の側板１３、１４、複数のコリメータリーフ１１ａ〜１１ｎ、１２ａ〜１２ｎの一葉毎に設けられた駆動手段１７、１８および位置検出器１９、２０、不整列検出手段２１、２２、位置検出器１９、２０が検出した位置を処理する位置信号処理回路３、４、コリメータリーフ１１ａ〜１１ｎ、１２ａ〜１２ｎを駆動制御するコリメータリーフ位置制御器２、各コリメータリーフ１１ａ〜１１ｎ、１２ａ〜１２ｎの基準位置を記憶するメモリを有し、多葉コリメータを制御する多葉コリメータ制御器１は図１と同一である。
【００３２】
一対の停止部材６１、６２を移動する停止部材移動機構６０は、停止部材６１と停止部材６２の間の両側部にそれぞれ位置決め部材６３を配置し、中間位置から一方側は右ねじ、他方側は左ねじが加工された一対の移動ねじ６４を、停止部材１５、１６の両側部に移動ねじ受を配置して螺合し、一対の移動ねじ６４の一端側の１本に停止部材移動モータ６５を連結し、この他端側および他端側の移動ねじ６４の他端部にギヤボックス６６を装着し、ギヤボックス６６の間は、移動ねじ６４が同一回転となるように連結軸６４ａで連結している。
停止部材６１、６２の位置は、停止部材移動モータ６５により設定位置に移動し、設定位置においてプランジャ６８を動作させてピン６９を位置決め部材６９に挿入して設定する。
【００３３】
このように、照射野Ｓの形成条件に合わせて停止部材６１、６２の設定位置が切り換えられるように構成すると、形成する照射野Ｓが小さくてもよい場合の照射野Ｓの設定時間が短かくなる。
【図面の簡単な説明】
【００３４】
【図１】実施の形態１の粒子線治療装置の多葉コリメータ部分の構成図である。
【図２】実施の形態１の多葉コリメータのコリメータリーフの移動時の状態説明図である。
【図３】実施の形態２の粒子線治療装置の多葉コリメータ部分の構成図である。
【図４】実施の形態２の多葉コリメータのコリメータリーフの移動時の状態説明図である。
【図５】実施の形態３の粒子線治療装置の多葉コリメータ部分の構成図である。
【図６】実施の形態３の多葉コリメータのコリメータリーフの移動時の状態説明図である。
【図７】実施の形態４の粒子線治療装置の多葉コリメータ部分の構成図である。
【符号の説明】
【００３５】
１  多葉コリメータ制御器、２  コリメータリーフ位置制御器、
３，４  位置信号処理回路、１０  多葉コリメータ、１１，１２  コリメータリーフ群、
１３，１４  側板、１５，１６  停止部材、１７，１８  駆動手段、
１９，２０  位置検出器、２１，２２  不整列検出部材、
２３，２４  不整列検出部材移動手段、３０  多葉コリメータリーフ、
４０  不整列検出機構、４１，４２  不整列検出部材、４３，４４  移動ねじ受、
４５  駆動モータ、４６  移動ねじ、４７  軸受、５０  多葉コリメータ、
６０  停止部材移動機構、６１，６２  停止部材、６３  位置決め部材、
６４  移動ねじ、６５  停止部材移動モータ、６６  ギアボックス、
６７  停止部材位置検出器、６８  プランジャ、６９  ピン、７０  多葉コリメータ。
【図１】
0004680074.tif 000002
【図２】
0004680074.tif 000003
【図３】
0004680074.tif 000004
【図４】
0004680074.tif 000005
【図５】
0004680074.tif 000006
【図６】
0004680074.tif 000007
【図７】
0004680074.tif 000008